(57)【要約】【課題】嵌め合わせ係合を繰り返しても、金属製の目地部材や金属製のやとい実部材が変形するおそれの少ない不燃パネル接合構造を提供する。【解決手段】目地部材１２およびやとい実部材１１は金属で形成されるとともに目地部材１２、やとい実部材１１の一方側が係止突部１２ｂを備え、他方側が該係止突部１２ｂを挿入して、嵌め合わせする嵌合凹所１１ｄを備えており、嵌合凹所１１ｄの両内側面には、軟質の受止層１４を形成している。【選択図】図１
2009191529.tif 000002
【特許請求の範囲】
【請求項１】
両側に実部が突設されたやとい実部材を施工下地に固定し、それぞれの実部に、隣接する不燃パネルのそれぞれの端部に形成された凹溝部を係合させて、上記やとい実部材の表面側で、かつ上記不燃パネルの隣接する端部間に目地溝を形成し、該目地溝に目地部材を装着してなる不燃パネル構造であって、
上記目地部材および上記やとい実部材は、金属で形成されるとともに、上記目地部材および上記やとい実部材の一方側が係止突部を備え、他方側が該係止突部を挿入して、嵌め合わせする嵌合凹所を備えており、
上記嵌合凹所の両内側面には、軟質の受止層を形成していることを特徴とする不燃パネル接合構造。
【請求項２】
請求項１において、
上記嵌合凹所の開口両縁には、上記軟質の受止層の抜け出しを防止する一対の突出縁が形成されている、不燃パネル接合構造。
【請求項３】
請求項１または２において、
上記係止突部には、上記軟質の受止層に係着される抜け防止突起が形成されている、不燃パネル接合構造。
【請求項４】
請求項１〜３のいずれか１項において、
上記軟質の受止層は、断面が略Ｕ字状の軟質樹脂またはゴムの成形体で構成されている、不燃パネル接合構造。
【発明の詳細な説明】
【技術分野】
【０００１】
本発明は、壁面や天井などへ取付固定される不燃パネルのパネル間に形成される目地溝に目地部材を装着させてなる不燃パネル接合構造に関するものである。
【背景技術】
【０００２】
近時、壁面や天井などへの建築用パネルの取付施工において、隣接して取り付けた建築用パネル間に乾式の目地部材を装着して目地を構成する手法が実施されている。この種の方法では、目地部材を装着するための目地溝を均一幅に形成させるために、通例では、建築用パネルの端部の位置決めができる下地への固定取付の可能な目地受け部材が使用されている。
【０００３】
また近年、パネル施工において、ケイ酸カルシウム、ケイ酸マグネシウムなどの無機材料よりなる不燃パネルが使用されるようになっているが、さらに金属製の目地部材と目地受け部材を組み合わせて使用することで、パネル全体を不燃性とした耐火性にすぐれたパネル施工も提案されている。たとえば金属製の部材を使用することは特許文献１に提案されている。
【０００４】
一方、建築用パネルの取付施工において、隣接する建築用パネル同士を接合するために、やとい実部材も一般に使用されている。この種のやとい実部材は、隣接する両パネル側に突出する２つの実部を有して、両側で建築用パネルを係合させる構造となっており、さらに施工下地に固定できる構造のものも実施されている。
【０００５】
このようなやとい実部材を、不燃性を考慮して上記のように金属で製した場合、剛性の高い金属を使用すれば強固なパネル間接合が望め、やとい実の機能として十分な効果が期待できる。
【特許文献１】特開平５−２５９２０号公報
【発明の開示】
【発明が解決しようとする課題】
【０００６】
ところで本出願人は、上記のようなやとい実部材を目地受け部材に兼用してパネル施工することを試行し、さらに不燃性を考慮して、そのやとい実部材として金属で製したものを使用することを試行していた。
【０００７】
しかしながら、金属製のやとい実部材を使用した材場合、目地部材の嵌め入れなどにより金属が弾性的に撓み、そのような嵌め入れが繰り返されると、塑性変形をおこしたり歪んだり強度が落ちたりして両側の実部にも影響を及ぼし、やとい実機能の能力を低下させることが懸念される。
【０００８】
本発明は、このような事情を考慮して提案されたもので、その目的は、嵌め合わせ係合を繰り返しても、金属製の目地部材や金属製のやとい実部材が変形するおそれの少ない不燃パネル接合構造を提供することにある。
【課題を解決するための手段】
【０００９】
上記目的を達成するために、請求項１に記載の不燃パネル接合構造は、両側に実部が突設されたやとい実部材を施工下地に固定し、それぞれの実部に、隣接する不燃パネルのそれぞれの端部に形成された凹溝部を係合させて、やとい実部材の表面側で、かつ不燃パネルの隣接する端部間に目地溝を形成し、該目地溝に目地部材を装着してなる不燃パネル構造であって、目地部材およびやとい実部材は金属で形成されるとともに、目地部材およびやとい実部材の一方側が係止突部を備え、他方側が該係止突部を挿入して、嵌め合わせする嵌合凹所を備えており、嵌合凹所の両内側面には、軟質の受止層を形成していることを特徴とする。
【００１０】
請求項２に記載の不燃パネル接合構造は、嵌合凹所の開口両縁には、軟質の受止層の抜け出しを防止する一対の突出縁が形成されている。
【００１１】
請求項３に記載の不燃パネル接合構造は、係止突部には、軟質の受止層に係着される抜け防止突起が形成されている。
【００１２】
請求項４に記載の不燃パネル接合構造では、軟質の受止層は断面が略Ｕ字状の軟質樹脂またはゴムの成形体で構成されている。
【発明の効果】
【００１３】
請求項１に記載の不燃パネル接合構造によれば、金属で形成された目地部材およびやとい実部材は、それらの一方側が係止突部を備え、他方側が該係止突部を挿入して嵌め合わせする嵌合凹所を備えており、嵌合凹所の両内側面には、軟質の受止層を形成しているため、その軟質の受止層によって目地部材とやとい実部材とが強固に係合でき、しかも着脱を繰り返しても目地部材およびやとい実部材が傷むおそれがほとんどない。
【００１４】
さらに、受止層が軟質素材で形成されているため、嵌合凹所を係止突部の挿入によって弾性的に拡開させる構造としなくてもよく、そのため、金属で形成された目地部材あるいはやとい実部材が、装着を繰り返すことで劣化、変形するおそれがない。特に、実部を形成させたやとい実部材に嵌合凹所を設けた場合には、撓みによるわずかな歪みや変形がやとい実機能を阻害するおそれがあるが、軟質の受止層を設けた構造によればそのおそれがほとんどないため、パネル交換などによる目地部材の着脱を繰り返しても、やとい実部材を長期的に使用できる。
【００１５】
請求項２に記載の不燃パネル接合構造によれば、嵌合凹所の開口両縁に軟質の受止層の抜け出しを防止する一対の突出縁が形成されているため、係止突部を嵌合凹所より引き抜いたときでも受止層が抜け出るおそれがない。
【００１６】
請求項３に記載の不燃パネル接合構造によれば、係止突部に抜け防止突起が形成されているため、この突起と軟質の受止層との強い係着によって、嵌め合わせが外れることを防止できる。
【００１７】
請求項４に記載の不燃パネル接合構造によれば、軟質の受止層は断面が略Ｕ字状の軟質樹脂またはゴムの成形体で構成されているため、目地部材またはやとい実部材の嵌合凹所へ簡単に装着できる。また、受止層そのものの形成も容易である。
【発明を実施するための最良の形態】
【００１８】
以下に、本発明の実施の形態について、添付図面を参照しながら説明する。
【００１９】
図３は、本発明の第１の実施形態である不燃パネル接合構造を使用した機能性パネル取付施工の完成例を示す斜視図である。
【００２０】
同不燃パネル接合構造は、図３に示すように、室内の壁面などに配設される機能性パネルの施工に使用される接合構造である。図例のものは、腰壁３の上方に複数の不燃性の内装パネル１０を格子状に配設し、隣接する内装パネル１０、１０間に縦、横の目地部材１２が装着されている。また、複数の内装パネル１０よりなる機能性パネル全体１の最外周には、外周部に配置された内装パネル１０の端部を隠すとともに、内装パネル１０を位置決め固定するための４つの見切り部材２０が配設されている。なお、見切り部材２０が直交する隅部にはコーナーキャップ２３が取り付けられている。
【００２１】
ここで、不燃パネルは、ケイ酸カルシウム、ケイ酸マグネシウムなどの無機材料で形成される。また、機能性パネルとしては調湿パネル、吸音パネルなどが挙げられる。また、図例のような内装パネル１０を配列させる構造を利用して、壁付けの収納棚や収納ボックスを構成してもよい。なお、機能性パネル全体１は天井に施工してもよく、また外装用に使用してもよい。機能性パネル全体１を構成する複数の内装パネル１０として、本例では正方形状の複数の同一寸法のものを使用し、それらを格子状に並べている。なお、このようなパネル配設例に限られず、同種のパネルを千鳥状や種々の並べ方で並べてもよく、異なる寸法、形状ものを使用してもよい。
【００２２】
また、本例で使用される目地部材１２は、後述するやとい実部材１１とともに、アルミなどの金属で形成されており、施工されるパネル全体１を不燃性材料で構成している。
【００２３】
また、本例で使用される目地部材１２は、水平方向のものとして複数の内装パネル１０にまたがる長目地部材１２Ｌが使用され、垂直方向のものとして内装パネル１０の一方辺（本例では縦辺）に対応させて、その一方辺と略同一の長さ寸法の短目地部材１２Ｓが使用される。なお、長目地部材１２Ｌ、短目地部材１２Ｓは縦横を逆に配設してもよい。
【００２４】
これら長目地部材１２Ｌ、短目地部材１２Ｓは、それぞれの目地部材と長さ寸法を略同一とした長やとい実部材１１Ｌ、短やとい実部材１１Ｓ（いずれも図３では不図示、図１参照）の表面側で、隣接する内装パネル１０の端部間に形成された目地溝１３（図１参照）に装着、固定される。なお、長やとい実部材１１Ｌは、施工後には表面に露出されず見映えの問題がないため、一方の見切り部材２０から対向する見切り部材２０までを複数のやとい実部材で構成してもよく、すくなくとも内装パネル１０間にまたがるようにして、短やとい実部材１１Ｓとスムースに交差できるような構成であればよい。
【００２５】
本発明は、目地部材１２の目地溝１３への装着構造に特徴があり、より具体的には、目地部材１２を目地溝１３に装着する際に、やとい実部材１１にも嵌め合わせ係合して固定するようにした構造に特徴がある。そのような嵌合構造について、図１、２を参照しながら説明する。
【００２６】
図１は図３のＡ−Ａ線縦断面図であり、（ａ）は短目地部材１２Ｓを短やとい実部材１１Ｓへ嵌合する前、（ｂ）は嵌合後の各断面図である。図２は、やとい実部材１１の嵌合構造の説明図であり、この図では、後述する軟質の受止層１４をやとい実部材１１に装着する前の状態を示している。
【００２７】
また、長目地部材１２Ｌの長やとい実部材１１Ｌへの嵌合構造と、短目地部材１２Ｓのやとい実部材１１Ｌへの嵌合構造とは概ね同様であるため、短目地部材１２の嵌合のみについて図示し、長目地部材の嵌合については図示を割愛する。なお、長目地部材１２Ｌは、短目地部材１２Ｓの端部を覆い隠せるように庇部が突出しており、そのため図３に示すように平面視の幅寸法が短目地部材１２Ｓの幅寸法より大きくなっているが、嵌合構造については特段の相異点はない。
【００２８】
やとい実部材１１は、施工下地２に取付される取付基部１１ｂ、取付基部１１ｂの中央より表面側に立設され、表面側に嵌合凹所１１ｄＡを有した本体部１１ａ、本体部１１ａの表面側より、隣接する両パネル側１０、１０のそれぞれへ折曲突出した実部１１ｃを備えている。本体部１１ａの両側には、この実部１１ｃと、取付基部１１ｂの基部片１１ｂ１、１１ｂ２とによって、パネル端部装着空所１１ｈが形成されている。
【００２９】
この嵌合凹所１１ｄＡの内方には、その内壁面、内底面に沿って、目地部材１２の係止突部１２ｂＡを受け止めて固定するための軟質の受止層１４が形成されており、嵌合凹所１１ｄＡの開口両縁には、軟質の受止層１４の抜け出しを防止するための一対の突出縁１１ｅが形成されている。
【００３０】
軟質の受止層１４としては、軟質樹脂あるいはゴムが好適に使用できるが、他の柔軟な素材であってもよい。また、この軟質の受止層１４は、図２に示すように、やとい実部材本体とは別体に形成された断面が略Ｕ字状に成形されたものが好適に使用される。なお、軟質の受止層１４は、嵌合凹所１１ｄＡの内底面には配設しなくてもよいが、一体成形でき、取り扱いもしやすくするため、Ｕ字状とすることが望ましい。そして、この軟質部材１４をやとい実部材１１の嵌合凹所１１ｄＡ内の受止層収容部１１ｆに装着することで、やとい実部材１１を目地受け部材としても使用可能な形に構成できる。
【００３１】
また、やとい実部材１１は、一方の内装パネル１０を施工下地２（図例では壁面）に接着剤で取付固定した後、その端部１０ａに形成された凹溝部１０ｂに一方の実部１１ｃを係合させるようにしながら、一方の基部片１１ｂ２を内装パネル１０と施工下地２との間に差し込むようにして装着され、装着後は他方の基部片１１ｂ１を複数個所でビス止めして固定される。その後、隣接させる内装パネル１０の端部１０ａの凹溝部１０ｂを他方の実部１１ｃに係合させるようにして、その内装パネル１０を施工下地２に取付固定する（図１（ａ）参照）。
【００３２】
この状態では、隣接する２枚の内装パネル１０、１０は、凹溝部１０ｂより下地側Ｇの端部１０ａがパネル端部装着空所１１ｈに挿入されて位置決めされ、実部１１ｃによって接合、固定される。内装パネル１０は接着剤（不図示）で下地２に固着されるが、この実部１１ｃを有したやとい実部材１１によれば、接着剤が硬化して内装パネル１０が固着されるまでの間や、接着剤を使用せずに位置合わせなどを目的として内装パネル１０を仮施工する場合にも、内装パネル１０を仮固定しておくことができる。
【００３３】
さらに、この状態では、やとい実部材１１の本体部１１ａの表面側Ｓに、２枚のパネル端部１０ａ間によって挟まれた目地溝１３が形成され、その目地溝１３と、やとい実部材１１の凹所１１ｄＡの内方空間とより形成される連通空間によって目地部材１２の装着空間が形成される。
【００３４】
目地部材１２は、パネル端部１０ａ間の目地溝１３の幅と略同一寸法の目地本体部１２ａと、その目地本体部１２ａより下地側Ｇに突出した、やとい実部材１１の嵌合凹所１１ｄＡの幅と略同一寸法の係止突部１２ｂＡとを備えている。この係止突部１２ｂＡの側面には、軟質の受止層１４に係着される抜け防止突起１２ｃが形成されている。
【００３５】
この目地部材１２を目地溝１３に装着すると、目地本体部１２ａが２枚の内装パネル１０の端部１０ａの間で挟着されるとともに、目地部材１２の係止突部１２ｂＡが、やとい実部材１１の嵌合凹所１１ｄＡ内に設けた軟質受止層１４に強く嵌着される（図１（ｂ）参照）。
【００３６】
特に、目地部材１２の係止突部１２ｂＡをやとい実部材１１の嵌合凹所１１ｄＡに挿入したときに、係止突部１２ｂＡに設けた抜け防止突起１２ｃが軟質樹脂またはゴムによる受止層１４の表面を部分的に押圧することで、強固な係着関係が発生し、係止突部１２ｂＡは凹所１１ｄＡより抜けにくくなる。また、開口両縁には突出縁１１ｅが形成されているため、取り外しの際に受止層１４そのものが抜け出ることを防止できる。
【００３７】
このように、やとい実部材１１と目地部材１２の対向するそれぞれの箇所に設けた凹所１１ｄＡと係止突部１２ｂＡとは、それぞれが嵌め合わせ係合部１１ｄ、１２ｂを構成し、それらの構成によって、目地部材１２はパネル端部１０ａ間の目地溝１３に強固に係着、固定される。
【００３８】
したがって、このような不燃パネル接合構造によれば、隣接する内装パネル１０、１０はやとい実部材１１の実部１１ｃにより正確に接合され、内装パネル１０の浮き上がりが防止されるとともに、目地部材１２は目地受け部材として兼用されたやとい実部材１１との嵌め合わせによって強固に固定される。
【００３９】
また、受止層１４が軟質素材で形成されているため、嵌合凹所１１ｄＡを、係止突部１２ｂＡの挿入によって弾性的に拡開させる構造としなくてもよく、そのため、嵌合凹所１１ｄＡを形成し金属で形成されたやとい実部材１１が、パネル交換などで繰り返し発生する撓みにより劣化、変形するおそれがない。
【００４０】
特に、嵌合凹所１１ｄＡを形成させたやとい実部材１１は、実部１１ｃによるやとい実機能も有しており、撓みによるわずかな歪みや変形がやとい実機能を阻害するおそれがあるが、軟質の受止層１４を設けた構造により、そのような撓みは発生し得ず、目地受け部材としても兼用したやとい実部材を長期的に使用できる。
【００４１】
さらに、やとい実部材１１を施工下地２に固定する構成であるため、内装パネル１０の位置決めがしやすく、やとい実部材１１が隣接施工する両内装パネル１０のスペーサとして作用して、目地溝１３も均一な幅に形成できる。また、実部１１ｃで内装パネル１０を固定できる構造であるため、施工途中の内装パネル１０の取付安定性も図れる。
【００４２】
このように、目地部材１２は目地受け部材として兼用したやとい実部材１１と強固に結合されるが、目地剤の注入、硬化による目地形成と異なり、嵌め入れによる装着であるため取り外しも簡易に行え、部分的あるいは全体のパネル交換も比較的簡単に短時間で行える。
【００４３】
ついで、図４に示した見切り部材２０と内装パネル１０との接合について説明する。
【００４４】
図４は、見切り部材２０の内装パネル１０との接合状態を示した要部縦断面図である。
【００４５】
見切り部材２０は、ベース部材２１とカバー部材２２とよりなり、これらを結合させて内装パネル１０の端部１０ａを係合保持する構造となっている。ベース部材２１、カバー部材２２はともに、不燃性を考慮してアルミ等の金属で製することが望ましい。
【００４６】
ベース部材２１は、取付基部２１ｂと、カバー部材２２を嵌合させる嵌合凹所２１ｄを有した本体部２１ａと、その本体部２１ａの表面側Ｓより内装パネル１０側に延出させた、内装パネル１０の端部１０ａに形成された凹溝部１０ｂを係合するための実部２１ｃとを有した構造とされる。また嵌合凹所２１ｄの開口両縁には受止層２４の抜け出し防止用の突出縁２１ｅが形成されるとともに、その内方にはその内壁面、内底面に沿って、カバー部材２２の嵌合突起２２ｄを係合するための軟質の受止層２４が形成されている。
【００４７】
一方、カバー部材２２は、内装パネル１０の端部１０ａの表面を隠すように形成された本体部２２ａと、その本体部２２ａから折曲して下地側に延出された側端カバー片２２ｂと、側端カバー片２２ｂの略中央より内装パネル１０側に突出した嵌合片２２ｃとを有した構造とされる。
【００４８】
この嵌合片２２ｃには、下地側Ｇに突出した嵌合突起２２ｄが形成されている。ベース部材２１とカバー部材２２とは、カバー部材２２の嵌合突起２２ｄがベース部材２１の嵌合凹所２１ｄに嵌め入れられて、嵌合突起２２ｄとその両側面に形成された抜け防止突起２２ｅとによって、嵌合凹所２１ｄと強固に連結される。
【００４９】
特に、嵌合凹所２１ｄを形成させたベース部材２１は、実部２１ｃによるやとい実機能も有しており、カバー部材２２の嵌合突起２２ｄを嵌合凹所２１ｄに装着する際に撓むことで歪みや塑性変形を起こせば、やとい実機能を阻害するおそれがあるが、軟質の受止層２４を設けた構造によれば装着時の撓みがほとんど発生しないため、歪み、変形などの劣化はほとんど起こり得ず、ベース部材２１を長期的に使用できる。
【００５０】
また、２０ａは、釘（不図示）を斜め打ちして下地２へ固着するための釘打ち部である。
【００５１】
図５、６は、内装パネル１０の取付施工手順の一例を示す正面図である。なお、説明の都合上、本図例に示した内装パネル１０には、内装パネル１０の取付順にしたがって、取付順を示した番号（＃ｎ）を付している。また、見切り部材２０（ベース部材２１とカバー部材２２）についても、左、下、右、上に対応させた番号（＃１）〜（＃４）を付している。
【００５２】
まず、内装パネル１０の施工対象である施工下地２に、パネル全面の左端と下端に対応した縦、横のベース部材２１（＃１）、２１（＃２）を取り付ける（図５（ａ））。次に、縦、横のベース部材２１（＃１）、２１（＃２）で形成された左下の下地に最初の内装パネル１０（＃１）を取り付け、その内装パネル１０（＃１）の右端部に、短やとい実部材１１の取付基部１１ｂの基部片１１ｂ２を、内装パネル１０（＃１）と下地２の間に差し込むようにして、短やとい実部材１１Ｓをビス止めなどで取付固定する（図５（ｂ））。
【００５３】
さらに、取付された短やとい実部材１１Ｓの取付基部１１ｂの他方の基部片１１ｂ１を隠すように、次の内装パネル１０（＃２）を取り付けた後、隣設された２枚の内装パネルの上端部に沿って、長やとい実部材１１Ｌの取付基部１１ｂの基部片１１ｂ２を２枚の内装パネル１０（＃１）、１０（＃２）と下地２の間に差し込むようにして、長やとい実部材１１Ｌをビス止めなどで取付固定する（図５（ｃ））。
【００５４】
同様に、内装パネル１０（＃３）〜１０（＃６）を２枚ずつ積み重ねるようにしてすべての内装パネル１０を取付固定し、パネル全面の右端と上端に対応した縦、横のベース部材２１（＃３）、２１（＃４）を取り付ける（図５（ｄ））。
【００５５】
４周のベース部材２１と、すべての内装パネル１０とが固定された後に、３つの短目地部材１２Ｓを上下に走る目地溝１３に順に嵌め入れ（図６（ａ））、左右に走る目地溝１３に２つの長目地部材１２Ｌを順に嵌め入れる（図６（ｂ））。
【００５６】
次に、４周の見切り部材２０（＃１）〜２０（＃４）に対応したそれぞれのカバー部材２２（＃１）〜２２（＃４）を、対応した各ベース部材２１に装着し（図６（ｃ））、最後に、４隅にコーナーキャップ２３を取り付ける（図６（ｄ））。なお、このコーナーキャップ２３も不燃性を考慮して金属素材のものを使用することが望ましい。
【００５７】
図７は、本発明の第２の実施形態の不燃パネル接合構造を示す要部縦断面図で、（ａ）は目地部材をやとい実部材へ装着する前、（ｂ）は嵌着後を示す各断面図である。
【００５８】
本実施形態に示した不燃パネル接合構造は、目地部材１２とやとい実部材１１の各嵌め合わせ構造が第１の実施形態に示したものと異なる。
【００５９】
すなわち、本実施形態のやとい実部材１１は、本体部１１ａの表面側Ｓに、係止突部１１ｄＢによって構成された嵌め合わせ係合部１１ｄを備えており、一方、目地部材１２は、本体部１２ａの下地側Ｇに、嵌合凹所１２ｂＢによって構成された嵌め合わせ係合部１２ｂを備えている。さらに、目地部材１２の嵌合凹所１２ｂＢの内方には、係止突部１１ｄｂを係着、固定させるための軟質の受止層１４が形成されている。
【００６０】
この目地部材１２は、目地部材１２の凹所１２ｂＢをやとい実部材１１の係止突部１１ｄＢに被せるようにして、目地溝１３に装着される。
【００６１】
その際、目地本体部１２ａが２枚の内装パネル１０の端部１０ａの間で挟着されるとともに、やとい実部材１１の係止突部１１ｄＢが、目地部材１２の嵌合凹所１２ｂＢ内に設けた軟質受止層１４に強く嵌着される。特に、目地部材１２の嵌合凹所１２ｂＢにやとい実部材１１の係止突部１１ｄＢを挿入させたときに、係止突部１１ｄＢに設けた抜け防止突起１１ｅが軟質樹脂またはゴムによる受止層１４の表面を部分的に押し込むことで、係止突部１１ｄＢは凹所１２ｂＢより抜けにくくなる。
【００６２】
また、軟質の受止層１４で係止突部１１ｄＢを受け止める構成であるため、目地部材１２を撓ませることなくやとい実部材１１へ装着でき、着脱による目地部材１２の劣化がほとんどなく、部材を長持ちさせることができる。
【００６３】
このように、やとい実部材１１と目地部材１２の対向するそれぞれの箇所に設けた係止突部１１ｄＢと凹所１２ｂＢとは、それぞれが嵌め合わせ係合部１１ｄ、１２ｂを構成し、それによって、目地部材１２はパネル端部１０ａ間に強固に固定される。
【００６４】
また、本実施形態に示したやとい実部材１１および目地部材１２は、第１の実施形態に示した例と同様に、長さ寸法を略同一にし、かつ不燃パネルの辺縁を固定する第１の部材と、その辺縁に直交する辺縁を固定する第２の部材とを組み合わせ、それぞれを直交する方向に配列させるように使用できる。
【００６５】
図８は同実施形態の不燃パネル接合構造を示す要部断面図で、（ａ）は見切り部材の表面部材であるカバー部材部材を下地材であるベース部材へ装着する前、（ｂ）は嵌着後を示す断面図である。
【００６６】
本実施形態における見切り部材２０についても、図７と同様に、嵌合突起と嵌合凹所との形成箇所が、図４に示した第１の実施形態のものとは逆になっている。すなわち、抜け防止突起２１ｇを両側面に有した嵌合突起２１ｆはベース部材２１に形成され、嵌合凹所２２ｆはカバー部材２２に形成され、その嵌合凹所２２ｆの開口両縁に抜け出し防止用の突出縁２２ｇが形成されるとともに、その内方にはその内壁面、内底面に沿って、ベース部材２１の嵌合突起２１ｆを受け止めるための軟質の受止層２４が形成されている。
【００６７】
これらの構成によれば、軟質の受止層２４で嵌合突起を受け止める構成であるため、カバー部材２２のベース部材２１への装着時には、カバー部材２２を撓ませることなくベース部材１１へ装着でき、着脱によるカバー部材２２の劣化がほとんどなく、部材を長持ちさせることができる。
【００６８】
なお、図７、８において第１の実施形態と同一の構成については、同一の符号を付して、その説明は省略する。
【００６９】
また、不燃パネル１０の施工においては、第１、第２の実施形態のいずれを使用してもよいが、さらに第１の実施形態に示したやとい実部材１１、目地部材１２と、第２の実施形態に示した見切り部材２０とを組み合わせて使用してもよく、また第２の実施形態に示したやとい実部材１１、目地部材１２と、第１の実施形態に示した見切り部材２０とを組み合わせてもよい。また、ベース部材とカバー部材とに分離されない一体成形された金属製の見切り部材を使用してもよい。
【図面の簡単な説明】
【００７０】
【図１】本発明の第１の実施形態の不燃パネル接合構造の要部断面図で、（ａ）は目地部材をやとい実部材へ装着する前、（ｂ）は装着後を示す。
【図２】やとい実部材１１の嵌合構造の説明図である。
【図３】本発明の第１の実施形態である不燃パネル接合構造を使用した機能性パネル取付施工の完成例を示す斜視図である。
【図４】見切り部材の不燃パネルとの接合状態を示した要部縦断面図である。
【図５】（ａ）〜（ｄ）は不燃パネルの施工手順（前半）の説明図である。
【図６】（ａ）〜（ｄ）は不燃パネルの施工手順（後半）の説明図である。
【図７】本発明の第２の実施形態の不燃パネル接合構造を示す要部断面図で、（ａ）は目地部材をやとい実部材へ装着する前、（ｂ）は嵌着後を示す。
【図８】同実施形態の不燃パネル接合構造を示す要部縦断面図で、（ａ）はカバー部材部材をベース部材へ装着する前、（ｂ）は嵌着後を示す。
【符号の説明】
【００７１】
１      機能性パネル全体
２      施工下地
１０      内装パネル（不燃パネル）
１０ａ      端部
１０ｂ      凹溝部
１１      やとい実部材
１１Ｌ      長やとい実部材
１１Ｓ      短やとい実部材
１１ａ      本体部
１１ｂ      取付基部
１１ｃ      実部
１１ｄ      嵌め合わせ係合部
１１ｄＡ      嵌合凹所（第１の実施形態）
１１ｄＢ      係止突部（第２の実施形態）
１１ｅ      突出縁（第１の実施形態）
１１ｆ      受止層収容部
１１ｇ      抜け防止突起（第２の実施形態）
１２      目地部材
１２Ｌ      長目地部材
１２Ｓ      短目地部材
１２ａ      目地本体部
１２ｂ      嵌め合わせ係合部
１２ｂＡ      係止突部（第１の実施形態）
１２ｂＢ      嵌合凹所（第２の実施形態）
１２ｃ      抜け防止突起（第１の実施形態）
１２ｅ      突出縁（第２の実施形態）
１３      目地溝
１４      軟質の受止層
２０      見切り部材
２１      ベース部材
２１ｄ      嵌合凹所（第１の実施形態）
２１ｅ      突出縁（第１の実施形態）
２１ｆ      嵌合突起（第２の実施形態）
２１ｇ      抜け防止突起（第２の実施形態）
２２      カバー部材
２２ｄ      嵌合突起（第１の実施形態）
２２ｅ      抜け防止突起（第１の実施形態）
２２ｆ      嵌合凹所（第２の実施形態）
２２ｇ      突出縁（第２の実施形態）
２４      見切り部材用の軟質の受止層
Ｓ      表面側
Ｇ      下地側
【図１】
2009191529.tif 000003
【図２】
2009191529.tif 000004
【図３】
2009191529.tif 000005
【図４】
2009191529.tif 000006
【図５】
2009191529.tif 000007
【図６】
2009191529.tif 000008
【図７】
2009191529.tif 000009
【図８】
2009191529.tif 000010